(57)【特許請求の範囲】
【請求項１】
決済端末であって、
画像を撮像するカメラのレンズと、
接触ＩＣカードが挿入されるカードスロットと、
タッチパネルと、を備え、
前記決済端末が載置される載置面から高さ方向に、前記載置面の近くから順に、前記レンズ、前記カードスロット、及び前記タッチパネルが配置された面であるパネル配置面が配置され、
前記カードスロットに対して利用者が正面に対峙した場合に、前記パネル配置面の向きは、前記利用者に向かって斜め上方であり、前記レンズの光軸方向は、前記利用者に向かって斜め上方であり、且つ、前記レンズは、前記カードスロットよりも前記利用者に近い位置に配置された、
決済端末。
【請求項２】
前記レンズを通じて撮像する前記カメラのカメラモジュールと、
前記カードスロットに挿入された接触ＩＣカードから、前記接触ＩＣカードに保存された情報を取得するカードリーダと、を更に備え、
前記載置面から高さ方向に、前記載置面の近くから順に、前記カメラモジュール及び前記カードリーダが配置された、
請求項１に記載の決済端末。
【請求項３】
近距離無線通信を行うためのアンテナ、を更に備え、
前記カメラモジュールは、前記アンテナによる電波の放射範囲の外側に配置された、
請求項２に記載の決済端末。
【請求項４】
前記カメラモジュール及び前記カードリーダが電気的に接続された制御部、を更に備え、
前記制御部は、決済方式としてクレジットカード決済が選択された場合、前記カードリーダによる読み取りを可能にし、前記カメラモジュールによる読み取りを不能とする、
請求項２又は３に記載の決済端末。
【請求項５】
前記カメラモジュール及び前記カードリーダが電気的に接続された制御部、を更に備え、
前記制御部は、決済方式としてコード決済が選択された場合、前記カメラモジュールによる読み取りを可能にし、前記カードリーダによる読み取りを不能とする、
請求項２〜４のいずれか１項に記載の決済端末。
【請求項６】
前記決済端末は、前記利用者が対峙する正面側に開口部を有し、
前記開口部に、前記カードスロット及び前記レンズが配置された、
請求項１〜５のいずれか１項に記載の決済端末。
【請求項７】
前記開口部は、前記開口部に対向する前記決済端末の面のうち前記載置面に近い側に位置する第１面の一部と、前記第１面と連なり前記決済端末の前記正面側に位置する第２面の一部と、が窪んで形成された凹部を有し、
前記凹部に、前記レンズが配置された、
請求項６に記載の決済端末。
【発明の詳細な説明】
【技術分野】
【０００１】
本開示は、決済端末に関する。
【背景技術】
【０００２】
従来、カードリーダ及びタッチパネルを備える決済端末が知られている（特許文献１参照）。また、従来、決済処理を行うための決済方式として、一次元コードや二次元コードを用いたコード決済が知られている（特許文献２参照）。特許文献２では、店舗の管理者が利用するＰＯＳ端末としての店舗端末が、ユーザが有するＩＣ（Integrated Circuit）カードや、ＩＣカードと同等の機能を備えたユーザ端末に記憶される情報、ユーザ端末の出力部である表示面に表示される一次元コード（例えばバーコード）や二次元コード（例えばＱＲコード（登録商標））を読み取る読取装置を備えることが記載されている。
【先行技術文献】
【特許文献】
【０００３】
【特許文献１】特開２０１４−１９９６８３号公報
【特許文献２】特開２０２０−０２７５２１号公報
【発明の概要】
【発明が解決しようとする課題】
【０００４】
特許文献１，２の決済端末や店舗端末の構成を組み合わせて、複数の決済方式に対応する決済端末を構成することが想定される。この決済端末は、カードリーダ、タッチパネル、及び二次元コードの読取装置としてのカメラを備えることが想定される。この場合、カメラの配置位置を工夫することで、例えば、複数の決済方式に対応しつつ、決済端末を小型化し、カメラの配置効率を向上し、カメラによる撮像時に表示部（例えばタッチパネル）の視認性が向上し得る。
【０００５】
本開示は、様々な決済方式に対応でき、決済端末を小型化でき、撮像部の配置効率を向上でき、撮像時の表示部の視認性を向上できる決済端末を提供する。
【課題を解決するための手段】
【０００６】
本開示の一態様は、決済端末であって、画像を撮像するカメラのレンズと、接触ＩＣカードが挿入されるカードスロットと、タッチパネルと、を備え、前記決済端末が載置される載置面から高さ方向に、前記載置面の近くから順に、前記レンズ、前記カードスロット、及び前記タッチパネルが配置された面であるパネル配置面が配置され、前記カードスロットに対して利用者が正面に対峙した場合に、前記パネル配置面の向きは、前記利用者に向かって斜め上方であり、前記レンズの光軸方向は、前記利用者に向かって斜め上方であり、且つ、前記レンズは、前記カードスロットよりも前記利用者に近い位置に配置された、決済端末である。
【発明の効果】
【０００７】
本開示によれば、様々な決済方式に対応でき、決済端末を小型化でき、撮像部の配置効率を向上でき、撮像時の表示部の視認性を向上できる。
【図面の簡単な説明】
【０００８】
【図１】第１の実施形態における決済端末の外観例を示す正面斜視図
【図２】側面側から見た決済端末の一例を透視して示す概略断面図
【図３】第１カードスロットの使用方法の一例を示す側面斜視図
【図４】第２カードスロットの使用方法の一例を示す側面斜視図
【図５】決済端末を用いた非接触型決済の使用方法の一例を示す上面図
【図６】決済端末の電気的な構成例を示すブロック図
【図７】比較例における決済端末と第１の実施形態との決済端末とのサイズを比較する図
【図８】比較例における決済端末に携帯端末を近づけてコード決済する様子を示す図
【図９】第１の実施形態における決済端末に携帯端末を近づけてコード決済する様子を示す図
【図１０】カメラの配置位置とＮＦＣアンテナによる電波の放射範囲との位置関係の一例を示す図
【図１１】比較例における決済端末が備えるカメラによりコード読取可能な携帯端末の配置位置を示す側面図
【図１２】第１の実施形態における決済端末が備えるカメラによりコード読取可能な携帯端末の配置位置の一例を示す側面図
【発明を実施するための形態】
【０００９】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１０】
（本開示の実施形態の一形態を得るに至った経緯）
決済端末が、カードリーダ、タッチパネル、及びカメラを備える場合、カメラは、決済端末の上面において、タッチパネルの表示領域の外側に配置されることが通常想定される。タッチパネルの表示領域を確保できるとともに、カメラの上部を遮る決済端末の部材が存在しないためである。このような決済端末の構成を、比較例の構成とする。
【００１１】
しかし、この比較例の場合、決済端末の上面にカメラのレンズが位置するので、カメラを用いた撮像時（例えばコード決済時）に、タッチパネルの表示領域を利用者の手や指などで塞いでしまい、タッチパネルによる表示の視認性が低下し得る。
【００１２】
また、端末の上面においてタッチパネルの外側の領域に配置されることで、タッチパネルの表示領域以外にカメラが配置されるスペースが必要となる。結果的に、様々な決済方式に対応するための電子部品を配置するためのスペースが必要となり、決済端末が大型化し得る。決済端末の内部において、部材の配置の比較的少ない領域にカメラが配置されることが好ましい。
【００１３】
以下の実施形態では、様々な決済方式に対応でき、決済端末を小型化でき、撮像部の配置効率を向上でき、撮像時の表示部の視認性を向上できる決済端末について説明する。
【００１４】
（第１の実施形態）
図１は、第１の実施形態における決済端末１００の外観例を示す正面斜視図である。決済端末１００は、本体１０を有する。本体１０は、例えば概して箱型の形状を呈する。例えば利用者が、決済端末１００の前面１Ａ側から、決済端末１００を操作する。利用者は、商品の購入者であってよく、店舗の客であってよい。決済端末１００は、店員により操作される店舗端末２００と接続される。決済端末１００は、店舗端末２００と連携して、各種の決済処理を実行可能であってよい。店舗端末２００は、例えば、店舗端末２００が備える入力デバイスを介して、商品の入力、金額の入力、決済方式の選択、等を行う。
【００１５】
決済端末１００は、タッチパネル１２、ＬＥＤ（Light Emitting Diode）１３、ＮＦＣ（Near Field Communication）アンテナ１５、第１カードスロット１６ｓ、第２カードスロット１７ｓ、及びカメラ２５を備える。決済端末１００は、後面１Ｄ側に、ケーブルＣＡを備える。ケーブルＣＡは、電源ケーブル、通信ケーブル、ＬＡＮ（Local Area Network）ケーブル、ＵＳＢ（Universal Serial Bus）ケーブル、等を含んでよい。
【００１６】
決済端末１００は、複数の決済方式に従って決済処理を実行可能である、複合タイプである。決済端末１００は、例えば、店舗のカウンタ５０の載置面α（図４参照）に載置された状態で用いられてよい。決済端末１００は、いずれかの決済方式に従って、決済処理を行ってよい。
【００１７】
複数の決済方式は、例えば、クレジットカード決済、電子マネー決済、コード（例えばＱＲコード（登録商標））決済、及び現金決済を含む。クレジットカード決済は、例えば、磁気カード決済、接触ＩＣカード決済、及び非接触ＩＣカード決済を含む。電子マネーは、複数種類の電子マネーが存在してよい。電子マネー決済及び非接触ＩＣカード決済は、非接触通信（例えば近距離無線通信：ＮＦＣ（Near Field Communication））を用いて決済が行われるので、ここではまとめて非接触型決済とも称する。
【００１８】
複数の決済方式は、対応する複数の決済インタフェースのそれぞれを用いて行われる。複数の決済インタフェースは、例えばクレジットカード、電子マネーカードＣ３２、コード、及び現金を含む。クレジットカードは、例えば、磁気カードＣ１、接触ＩＣカードＣ２、及び非接触ＩＣクレジットカードＣ３１を含む。
【００１９】
磁気カードＣ１は、第１カードスロット１６ｓに挿入されて決済に使用される。接触ＩＣカードＣ２は、第２カードスロット１７ｓに挿入されて決済に使用される。非接触ＩＣクレジットカードＣ３１及び電子マネーカードＣ３２は、ＮＦＣアンテナ１５に接近させて決済に使用される。非接触ＩＣクレジットカードＣ３１及び電子マネーカードＣ３２を、まとめて「非接触ＩＣカードＣ３」とも称する。
【００２０】
カメラ２５は、カメラモジュールｍｄとレンズｌｓとを含む（図２参照）。決済端末１００には、決済端末１００の外側から見ると、載置面αから高さ方向に、載置面αの近くから順に、カメラ２５のレンズｌｓ、第２カードスロット１７ｓ、及びタッチパネル１２が配置される。また、決済端末１００には、決済端末１００の内側から見ると、載置面αから高さ方向に、載置面αの近くから順に、カメラ２５のカメラモジュールｍｄ、第２カードリーダ１７、ＮＦＣアンテナ１５、及びタッチパネル１２が配置される。なお、ＮＦＣアンテナ１５、及びタッチパネル１２は、載置面αからの高さが同じであってもよく、つまり同一面においてタッチパネル１２の周囲にＮＦＣアンテナ１５が配置されてもよい。なお、タッチパネル１２が配置される面を、パネル配置面１０ａともいう。パネル配置面１０ａは、本体１０の上面であってよい。
【００２１】
第１カードスロット１６ｓは、前面１Ａ側から見て右又は左の側面側に、例えば図１では右の側面側に、側面に沿って配置される。この場合、利用者は、眼前に並ぶ複数のデバイスに対応する複数の決済方式のうち、いずれかの決済方式を容易に選択し易くなる。
【００２２】
決済端末１００は、前面１Ａ側よりも後面１Ｄ側の高さが高くなっている。つまり、決済端末１００の本体１０のパネル配置面１０ａが、利用者側に向かって徐々に低くなっている。つまり、第２カードスロット１７ｓに対して利用者が正面に対峙した場合に、決済端末１００のパネル配置面１０ａの向きが、利用者に向かって斜め上方を向いている。
【００２３】
決済端末１００の本体１０のパネル配置面１０ａには、ＬＥＤ１３が配置される。なお、ＬＥＤ１３の配置位置は、これに限られず、利用者が視認可能な位置であればよい。
【００２４】
タッチパネル１２は、例えば利用者により決済に用いられる。タッチパネル１２は、パネル配置面１０ａの全面にわたって設けられてもよいし、パネル配置面１０ａの一部に設けられていてもよい。タッチパネル１２は、利用者による各種操作を受け付け、各種データ、情報を入力するための入力機能を有する。タッチパネル１２は、各種データ、情報、画像、等を表示する表示機能を有する。よって、タッチパネル１２は、利用者に対して視覚情報を提供できる。なお、タッチパネル１２において、入力を検出する入力検出領域と各種表示を行う表示領域とが、同じ領域でもよいし、その少なくとも一部が異なる領域でもよい。なお、利用者の入力手段として、タッチパネル１２を示したが、決済端末１００がその他の入力手段（例えば物理的なキーやボタン）を備えてもよい。
【００２５】
決済端末１００は、前面１Ａに、本体１０の筐体が不在である開口部３０を有する。開口部３０は、前面１Ａ側において開口が最も広くなっており、後面１Ｄ側に向かう程、開口が狭くなっている。つまり、開口部３０は、後面１Ｄ側から前面１Ａ側に向かって拡径している。開口部３０には、第２カードスロット１７ｓ及びカメラ２５のレンズｌｓが配置される。例えば、開口部３０の最も後面１Ｄ側の部分に、第２カードスロット１７ｓが位置する。
【００２６】
開口部３０の周端下部には、下面３０ｂが配置される。下面３０ｂは、後面１Ｄ側から前面１Ａ側に向かって徐々に載置面αに近づくテーパ面となっていてよい。下面３０ｂは、例えば略平面形状に形成される。決済端末１００の本体１０の前面１Ａ側における開口部３０の周囲下部にある面１０ｂと、下面３０ｂとは、連接されている。本体１０の面１０ｂと開口部３０の下面３０ｂとの連接部分の一部は、窪んだ形状となっており、凹部Ｈ１を形成する。凹部Ｈ１は、開口部３０の一部である。凹部Ｈ１の輪郭の形状は、例えば半円弧形状または半楕円弧形状となる。凹部Ｈ１には、カメラ２５のレンズｌｓが露出して配置される。レンズｌｓの前面側は、本体１０の筐体で覆われていない。そのため、カメラ２５は、凹部Ｈ１を介して、決済端末１００の外部からの光を導入可能である。また、凹部Ｈ１にレンズｌｓが配置されることで、決済時の利用者の指や埃等がレンズｌｓに到達し難く、破損や汚れの付着からレンズｌｓが保護される。
【００２７】
図２は、側面側から見た決済端末１００の一例を透視して示す概略断面図である。なお、図２では、タッチパネル１２、ＮＦＣアンテナ１５、等の図示は省略されている。
【００２８】
決済端末１００では、カメラ２５が第２カードスロット１７ｓよりも前面１Ａ側（図２では左側）に配置されてよい。つまり、第２カードスロット１７ｓに対して利用者が正面に対峙した場合に、カメラ２５のレンズｌｓが、第２カードスロット１７ｓよりも利用者に近い位置に配置されてよい。この場合、開口部３０においてカメラ２５のレンズｌｓは、比較的に前面１Ａ側に位置するので、決済端末１００は、決済端末１００の外部に位置する被写体（例えばコードが表示された携帯端末３００）からの光を導入し易くなっている。したがって、決済端末１００は、携帯端末３００の表示面が表示するコードを高画質で撮像でき、コードの認識精度を向上できる。携帯端末３００は、スマートフォン、携帯電話、タブレット端末、等を含んでよい。
【００２９】
また、決済端末１００では、第２カードスロット１７ｓよりも載置面αに近い位置に、カメラ２５が配置される。例えば、載置面αと第２カードスロット１７ｓの配置位置との距離、つまり載置面αと第２カードスロット１７ｓに挿入される接触ＩＣカードＣ２との距離ｄ２は、接触ＩＣカードＣ２を挿入しようとする利用者の指ＦＧが、接触ＩＣカードＣ２と載置面αとの間に入り込むことが可能な程度の長さでよい。具体的には、距離ｄ２は、例えば２０ｍｍ〜２５ｍｍのいずれかの長さであってよい（図４参照）。
【００３０】
これにより、本実施形態のカメラ２５の配置位置であっても、利用者は、接触ＩＣカードＣ２を第２カードスロット１７ｓに挿入可能であり、接触ＩＣカードＣ２を用いた決済を実施できる。また、第２カードスロット１７ｓよりも載置面αに近い側では、決済端末１００の内部ではデッドスペースになり易い。このような位置にカメラ２５が配置されることで、決済端末１００の内部のデッドスペースを有効に利用でき、カメラ２５の配置効率を向上できる。よって、カメラ２５を備える決済端末１００の小型化に繋がる。
【００３１】
また、カメラ２５のレンズｌｓに対する法線方向、つまりレンズｌｓの光軸ＯＣの方向（光軸方向）は、載置面αに対して所定の角度θ（例えば５０度程度）を成している。即ち、カメラ２５の光軸方向は、利用者に向かって斜め上方である。
【００３２】
図３は、決済端末１００が備える第１カードスロット１６ｓの使用方法の一例を示す上面図である。
【００３３】
利用者は、例えば、決済端末１００の前面１Ａ（正面）に対向して位置し、載置面αに略平行な方向ｗに、第１カードスロット１６ｓに対して磁気カードＣ１をスワイプする。磁気カードＣ１は、磁気ストライプを少なくとも１つ備えている。一方、第１カードスロット１６ｓを有する第１カードリーダ１６（図６参照）には、磁気ヘッドが配置される。この磁気ヘッドに磁気ストライプを接触させることにより、決済端末１００と磁気カードＣ１との間でデータの読み書きが行われる。
【００３４】
図４は、決済端末１００が備える第２カードスロット１７ｓの使用方法の一例を示す側面斜視図である。
【００３５】
利用者は、載置面αに対して略平行な方向に、接触ＩＣカードＣ２を挿入する。接触ＩＣカードＣ２は、端子を有するＩＣチップを備える。一方、第２カードスロット１７ｓは、その内部に接点端子を備える。ＩＣチップの端子が接点端子と接触することで、決済端末１００と接触ＩＣカードＣ２との間でデータの読み書きが行われる。
【００３６】
図５は、決済端末１００を用いた非接触型決済の使用方法の一例を示す上面図である。
【００３７】
非接触型決済を行う場合、利用者が、非接触ＩＣカードＣ３を、パネル配置面１０ａ付近に設置されたＮＦＣアンテナ１５に接触又は近接させることで、非接触ＩＣカードＣ３が有するＩＣチップと、決済端末１００側のＮＦＣアンテナ１５との間で非接触通信が行われる。これにより、決済端末１００と非接触ＩＣカードＣ３との間でデータの読み書きが行われる。
【００３８】
図６は、決済端末１００の電気的な構成例を示すブロック図である。
【００３９】
決済端末１００は、ＣＰＵ（Central Processing Unit）１１、タッチパネル１２、ＬＥＤ１３、ＮＦＣ＿ＩＣ１４、ＮＦＣアンテナ１５、第１カードリーダ１６、第２カードリーダ１７、メモリ１８、スピーカ２４、カメラ２５、及び外部端子２７を備える。
【００４０】
ＣＰＵ１１は、メモリ１８に保持されたプログラムを実行することで、各種機能を実現する。ＣＰＵ１１は、決済端末１００の各部を統括して制御する。ＣＰＵ１１は、例えば、各種の決済（例えばクレジットカード決済、電子マネー決済、コード決済、現金決済）に関する処理を行う。ＣＰＵ１１は、プロセッサの一例であり、他のプロセッサであってもよい。ＣＰＵ１１には、決済端末１００内の各構成部（例えばカメラ２５（例えばカメラモジュールｍｄ）、第２カードリーダ１７）が電気的に接続され、各種データの送受が可能である。
【００４１】
タッチパネル１２は、利用者の指等（物体の一例）の接触又は近接を入力（入力操作）として電気的に検出する入力検出機能を有する。タッチパネル１２は、例えば利用者による入力操作を受け付ける。タッチパネル１２は、クレジットカード決済におけるＰＩＮ入力の操作や電子サインの操作を受け付けてよい。
【００４２】
タッチパネル１２は、ガラス基板、透明電極、保護カバー、等が積層されて形成される。タッチパネル１２による入力検出の方式としては、抵抗膜方式、静電容量方式、電磁誘導方式などが考えられるが、電気的に入力を検出するものであれば、いずれの方式が採用されてもよい。
【００４３】
また、タッチパネル１２は、例えばＬＣＤ（Liquid Crystal Display）を含み、各種データや情報を表示する表示機能を有する。
【００４４】
タッチパネル１２は、例えば、コード決済時にカメラ２５により撮像された画像をプレビュー画像として表示する。利用者は、カメラ２５に撮像させるために携帯端末３００の表示面をカメラ２５に対向させ、この結果、利用者から携帯端末３００の表示面を直接視認困難な状態でも、プレビュー画像の表示を確認することで、カメラ２５に対する携帯端末３００に表示されたコードの状態を確認できる。
【００４５】
タッチパネル１２は、例えば、コード決済時の決済端末１００に対する携帯端末３００の配置位置を案内するガイダンス画像を表示する。利用者は、ガイダンス画像を確認することで、携帯端末３００を用いてどのようにコード決済するのかを確認できる。
【００４６】
タッチパネル１２は、例えば、カメラ２５によるコード読取のために携帯端末３００を決済端末１００に対して所定の配置状態となるように案内情報を表示する。利用者は、案内情報を確認することで、携帯端末３００に表示されたコードを決済端末１００が読取可能な位置に移動等させることができる。
【００４７】
ＬＥＤ１３は、各種情報を報知するための表示を行う。ＬＥＤ１３は、様々な表示態様で表示してよい。表示態様は、例えば、表示色（例えば赤、緑、青）、表示タイミング（例えば決済に関する処理（決済処理）中、決済処理完了時に表示）、表示パターン（例えば点灯、点滅、消灯）を含んでよい。
【００４８】
ＮＦＣ＿ＩＣ１４は、ＮＦＣアンテナ１５に対する処理を行う。例えば、ＮＦＣ＿ＩＣ１４は、ＮＦＣアンテナ１５への電力供給、ＮＦＣアンテナ１５を介したデータ通信、を制御する。
【００４９】
ＮＦＣアンテナ１５は、例えばループコイルで形成される。ＮＦＣアンテナ１５は、ＮＦＣ＿ＩＣ１４から電力供給を受け、電波を発生する。ＮＦＣアンテナ１５から所定距離以内の領域は、ＮＦＣアンテナ１５と非接触通信可能な領域（非接触通信可能領域）である。非接触通信可能領域内に非接触ＩＣカードＣ３（非接触通信可能な通信媒体の一例）が配置されると、ＮＦＣアンテナ１５からの電波が非接触ＩＣカードＣ３に到達し、ＮＦＣアンテナ１５が非接触ＩＣカードＣ３に起動電力を与える。これにより、ＮＦＣアンテナ１５は、非接触ＩＣカードＣ３との間でデータを通信する。
【００５０】
また、ＮＦＣアンテナ１５で定義される面の中心位置と、タッチパネル１２で定義される面の中心位置とは、略一致してよい。これにより、タッチパネル１２に対して非接触ＩＣカードＣ３をかざすことで、ＮＦＣアンテナ１５と非接触ＩＣカードＣ３との間でデータを通信でき、ユーザにとって操作が分かり易くなる。
【００５１】
ＮＦＣ＿ＩＣ１４は、ＮＦＣアンテナ１５を介して、非接触ＩＣクレジットカードＣ３１が保持する情報を取得する（読み取る）。ＮＦＣ＿ＩＣ１４は、この情報を非接触読取情報として、ＣＰＵ１１に送る。非接触ＩＣクレジットカードＣ３１が保持する情報及び非接触読取情報は、例えば、クレジットカードの識別番号を含む。また、ＮＦＣ＿ＩＣ１４は、ＮＦＣアンテナ１５を介して、電子マネーカードＣ３２が保持する情報を取得する（読み取る）。ＮＦＣ＿ＩＣ１４は、この情報を電子マネー読取情報として、ＣＰＵ１１に送る。電子マネーカードＣ３２が保持する情報及び電子マネー読取情報は、例えば、電子マネーカードＣ３２の識別番号を含む。
【００５２】
第１カードリーダ１６は、磁気カードリーダのモジュールである。第１カードリーダ１６は、磁気カードＣ１が保持する情報を読み取り、読み取った情報を磁気読取情報としてＣＰＵ１１に送る。磁気カードＣ１が保持する情報及び磁気読取情報は、例えば、クレジットカードの識別番号を含む。
【００５３】
第２カードリーダ１７は、接触ＩＣカードリーダのモジュールである。第２カードリーダ１７は、接触ＩＣカードＣ２が保持する情報を読み取り、読み取った情報を接触読取情報としてＣＰＵ１１に送る。接触ＩＣカードＣ２が保持する情報及び接触読取情報は、例えば、クレジットカードの識別番号、を含む。
【００５４】
メモリ１８は、例えば、ＲＯＭ（Read Only Memory）やＲＡＭ（Random Access Memory）を含んで構成されてよい。メモリ１８は、各種データ、情報、プログラムを有する。
【００５５】
スピーカ２４は、各種音を出力する。スピーカ２４は、例えば決済端末１００における処理（例えば決済処理）に関する音を出力する。
【００５６】
カメラ２５は、カメラモジュールｍｄとレンズｌｓとを含む。カメラモジュールｍｄは、撮像に関する処理を行う。カメラモジュールｍｄは、例えば、撮像素子、イメージプロセッサ、その他の撮像に関する電子部品を含む。カメラモジュールｍｄは、被写体を撮像し、撮像画像を得る。レンズｌｓは、カメラモジュールｍｄ内の撮像素子に光を集光する。ここでは、カメラモジュールｍｄによる処理を、単にカメラ２５による処理としても記載する。
【００５７】
カメラ２５は、例えば、利用者の携帯端末３００の表示面に表示された二次元コード等のコードを撮像し、撮像画像をＣＰＵ１１に送る。ＣＰＵ１１は、この撮像画像を解析し、二次元コード等が示す決済に必要な識別情報（例えば利用者を識別する識別情報）を認識する。ＣＰＵ１１は、この識別情報をコード読取情報として取得する。なお、コードは、二次元コード以外でもよく、例えばバーコードであってもよい。
【００５８】
外部端子２７は、各種ケーブルＣＡを接続可能である。よって、外部端子２７は、各種ケーブルＣＡを介して、店舗端末２００に接続可能であり、通信可能である。店舗端末２００は、ＰＯＳ（Point Of Sales system）、キャッシュレジスタ、等を含んでよい。したがって、外部端子２７は、通信部として機能する。なお、通信部が、外部端子２７を介さず、無線通信（例えば無線ＬＡＮ通信、Ｂｌｕｔｏｏｔｈ（登録商標）通信）を行ってもよい。例えば、ＣＰＵ１１は、外部端子２７を介してデータを通信し、店舗端末２００から決済金額の情報や決済方式の選択情報やその他の決済に必要な情報を受信したり、店舗端末２００へ決済に関する情報を送信したりしてよい。
【００５９】
なお、決済端末１００は、決済端末１００の一部に、セキュリティ保護領域を有してもよい。セキュリティ保護領域は、決済端末１００におけるセキュリティ保護領域以外の領域と比較して、セキュリティが高くされた領域である。例えば、セキュリティ保護領域は、耐タンパ性を有する。セキュリティ保護領域は、ソフトウェア処理によって論理的にセキュリティが高くされてもよいし、ハードウェアの構造や仕組みによって物理的にセキュリティが高くされてもよい。セキュリティ保護領域には、主に、カード等を用いた決済処理に用いられる部材が格納される。
【００６０】
次に、決済端末１００の決済処理時の動作について説明する。
【００６１】
決済処理では、ＣＰＵ１１は、決済方式の選択情報を取得し、選択情報に応じて決済方式を選択する。ＣＰＵ１１は、決済方式の選択情報を、例えば通信部を介して店舗端末２００から取得してもよいし、タッチパネル１２を介して利用者から取得してもよい。ＣＰＵ１１は、決済方式が磁気カード決済の場合、第１カードリーダ１６から磁気読取情報を取得すると、磁気読取情報を用いて決済処理を実行してよい。ＣＰＵ１１は、決済方式が接触ＩＣカード決済の場合、第２カードリーダ１７から接触読取情報を取得すると、接触読取情報を用いて決済処理を実行してよい。ＣＰＵ１１は、決済方式が非接触ＩＣカード決済の場合、ＮＦＣ＿ＩＣ１４から非接触読取情報を取得すると、非接触読取情報を用いて決済処理を実行してよい。ＣＰＵ１１は、決済方式がコード決済の場合、画像認識によりコードの情報を取得すると、コード読取情報を用いて決済処理を実行してよい。ＣＰＵ１１は、決済方式が電子マネーカード決済の場合、ＮＦＣ＿ＩＣ１４から電子マネー読取情報を取得すると、電子マネー読取情報を用いて決済処理を実行してよい。ＣＰＵ１１は、外部の決済サーバと連携して、決済処理を実行してよい。
【００６２】
ここで、第２カードスロット１７ｓとカメラ２５のレンズｌｓとは開口部３０内に配置される。そのため、第２カードリーダ１７とカメラ２５とは比較的近距離に配置され得る。そこで、ＣＰＵ１１は、選択された決済方式に応じて、第２カードリーダ１７による読み取りの可否とカメラ２５（カメラモジュールｍｄ）による読み取りの可否とを、排他的に制御してよい。これにより、第２カードリーダ１７とカメラ２５との電気的な干渉を抑制でき、第２カードリーダ１７及びカメラ２５による読取性能を向上できる。
【００６３】
なお、カメラモジュールｍｄによる読み取りを可能にすることは、例えば、カメラ２５の電源をオンにすると、ＣＰＵ１１がカメラ２５の撮像を許可すること、又はＣＰＵ１１がカメラ２５に撮像された画像に対する画像認識を許可することを含んでよい。カメラモジュールｍｄによる読み取りを不能にすることは、例えば、カメラ２５の電源をオフにすると、ＣＰＵ１１がカメラ２５の撮像を禁止すること、又はＣＰＵ１１がカメラ２５に撮像された画像に対する画像認識を禁止することを含んでよい。
【００６４】
具体的には、ＣＰＵ１１は、決済方式としてクレジットカード決済（例えば接触ＩＣカード決済）が選択された場合、第２カードリーダ１７による読み取りを可能にし、カメラモジュールｍｄによる読み取りを不能としてよい。この場合、決済端末１００は、接触ＩＣカード決済時の第２カードリーダ１７及びカメラ２５の電気的な干渉を抑制でき、接触ＩＣカード決済の処理精度を向上できる。
【００６５】
また、ＣＰＵ１１は、決済方式としてコード決済が選択された場合、カメラモジュールｍｄによる読み取りを可能にし、第２カードリーダ１７による読み取りを不能としてよい。この場合、決済端末１００は、コード決済時の第２カードリーダ１７及びカメラ２５の電気的な干渉を抑制でき、コード決済の処理精度を向上できる。
【００６６】
次に、比較例における決済端末１００Ｘと本実施形態の決済端末１００とを比較する。
【００６７】
図７は、決済端末１００Ｘと決済端末１００とのサイズを比較する図である。なお、決済端末１００Ｘにおいて、決済端末１００と同じ構成については同一の符号を付し、決済端末１００と対応する構成については同一の符号の末尾に「Ｘ」を付加して示す。
【００６８】
比較例の決済端末１００Ｘでは、本体１０Ｘの後面１Ｄ側にカメラ２５Ｘが位置している。この場合、本体１０の後面１Ｄ側においてカメラ２５Ｘを配置するためのスペースが必要となる。一方、本実施形態の決済端末１００では、第２カードスロット１７ｓの挿入口に近い前面１Ａ側に、カメラ２５が位置する。したがって、本実施形態の決済端末１００は、比較例の決済端末１００Ｘと比較すると、本体１０の後面１Ｄ側においてカメラ２５を配置するためのスペースが不要となり、距離ｄ１（例えば１５〜１６ｍｍ）に相当する分、決済端末１００の前後方向（図７の上下方向）の長さを短縮でき、決済端末１００を小型化できる。
【００６９】
図８は、比較例における決済端末１００Ｘに携帯端末３００を近づけてコード決済する様子を示す図である。ここでは、決済端末１００Ｘのカメラ２５Ｘの位置は、図７の状態と同じである。
【００７０】
決済端末１００Ｘでは、コード決済を行うために利用者が決済端末１００Ｘの上面にあるカメラ２５Ｘに携帯端末３００を近づけると、タッチパネル１２の表示領域が携帯端末３００等により広範囲で隠れ、タッチパネル１２の表示領域に表示された情報が確認し難くなる。
【００７１】
図９は、本実施形態における決済端末１００に携帯端末３００を近づけてコード決済する様子を示す図である。ここでは、決済端末１００のカメラ２５の位置は、図７の状態と同じである。
【００７２】
決済端末１００では、コード決済を行うために利用者が決済端末１００のパネル配置面１０ａに携帯端末３００を近づけても、タッチパネル１２の表示領域が携帯端末３００等によりあまり隠れず、タッチパネル１２に表示された情報が確認し易い状態が維持され得る。つまり、決済端末１００におけるカメラ２５の配置によれば、決済端末１００は、パネル配置面１０ａから離れた位置にカメラ２５が配置されることで、コード決済時に携帯端末３００を決済端末１００のパネル配置面１０ａにかざした際に、タッチパネル１２が携帯端末３００自体や利用者の手や指に隠される面積を低減できる。よって、決済端末１００は、タッチパネル１２の表示領域の視認性を改善できる。なお、タッチパネル１２に表示される情報は、例えば、コード決済時に参照されるプレビュー画像、ガイダンス画像、案内情報、等を含む。
【００７３】
図１０は、カメラ２５の配置位置とＮＦＣアンテナ１５による電波の放射範囲Ｄ１との位置関係の一例を示す図である。
【００７４】
ＮＦＣアンテナ１５から放射された電波は、放射範囲Ｄ１に到達する。放射範囲Ｄ１では、ＮＦＣアンテナ１５から放射された電波の強度が閾値ｔｈ１以上となる範囲であり、非接触ＩＣカードＣ３との間で通信することで非接触ＩＣカードＣ３を用いた決済が可能な範囲である。また、ＮＦＣアンテナ１５による電波の放射範囲Ｄ１は、ＮＦＣアンテナ１５により定義される面から決済端末１００の外部に向かう方向に形成される。
【００７５】
仮に図７に示した比較例における決済端末１００Ｘと同様に、図１０に示すように、決済端末１００Ｘの上面付近且つ後面１Ｄ側にカメラ２５Ｘが設置されたとする。この場合、ＮＦＣアンテナ１５による電波の放射範囲Ｄ１に、カメラ２５Ｘの少なくとも一部が入り込む。ＮＦＣアンテナ１５は、金属部品がＮＦＣアンテナ１５の近傍に配置されると、電気的な干渉が発生し、アンテナ性能を十分に発揮し難い。そのため、ＮＦＣアンテナ１５の使用時に、金属部品としてのカメラ２５Ｘとの間で電気的な干渉が発生し、カメラ２５Ｘによる撮像画像の画質が低下したり、ＮＦＣアンテナ１５を用いた通信性能が低下したりし得る。
【００７６】
これに対し、決済端末１００では、決済端末１００の内部において、ＮＦＣアンテナ１５よりも載置面αに近い位置に、カメラ２５が配置される。そのため、カメラ２５は、ＮＦＣアンテナ１５による電波の放射範囲Ｄ１の外側に位置する。したがって、カメラ２５には撮像や画像処理などの各種の電気的な処理を実行するカメラモジュールｍｄが含まれるが、決済端末１００は、ＮＦＣアンテナ１５の使用時に、カメラ２５との間で電気的な干渉を考慮せずに設計されることが可能である。この場合でも、決済端末１００は、カメラ２５による撮像画像の画質が低下したり、ＮＦＣアンテナ１５を用いた通信性能が低下したりすることを抑制できる。
【００７７】
図１１は、比較例における決済端末１００Ｘが備えるカメラ２５Ｘに対する携帯端末３００の配置位置を示す側面図である。
【００７８】
図１１の比較例では、図７に示した比較例における決済端末１００Ｘと同様に、決済端末１００Ｘの上面付近且つ後面１Ｄ側にカメラ２５Ｘが設置されたとする。この場合、決済端末１００Ｘの上面が平面であるので、利用者は、コード決済時に、携帯端末３００のコードを表示する表示面を、決済端末１００Ｘの上面に対向させて上面に接触させることが多いと想定される。つまり、平面である携帯端末３００の表示面と、カメラ２５Ｘの配置位置の付近にあるパネル配置面１０ａとを、直接接触（直付け）させ易くなる。この場合、決済端末１００Ｘの表示面とカメラ２５Ｘとの距離を十分に確保することができず、携帯端末３００の配置が推奨される配置推奨範囲Ｄ２から外れることになる。配置推奨範囲Ｄ２は、コードの読み取りが好適に可能な範囲であり、カメラによる撮像範囲に携帯端末３００の表示面の全体が含まれる範囲であり、例えばカメラからの距離が１０ｃｍ程度の範囲である。したがって、この場合、決済端末１００は、カメラ２５Ｘからの携帯端末３００までの距離が短くなることで、被写体として表示されたコード全体を撮像することが困難となり、カメラ２５Ｘにより撮像されたコードの認識精度が不十分となり得る。
【００７９】
図１２は、本実施形態における決済端末１００が備えるカメラ２５に対する携帯端末３００の配置位置の一例を示す側面図である。
【００８０】
カメラ２５は、決済端末１００において前面１Ａ側に配置され、第２カードスロット１７ｓよりも載置面α側（決済端末１００の底面側）に配置される。カメラ２５の周囲には開口部３０及び凹部Ｈ１が存在するので、決済端末１００の最前面は略ロの字型の面となっている（図１参照）。そのため、決済端末１００の最前面に対して、平面的に接触可能な面積は小さい。また、決済端末１００の最前面の下部の面１０ｂは、カウンタ５０の載置面αの僅かに上に位置している。そのため、決済端末１００の最前面の下部の面１０ｂに対して平面的に接触対象（例えば携帯端末３００）を接触させることは困難である。したがって、決済端末１００の最前面に対して、携帯端末３００の表示面を直付けし難くなっている。この場合、利用者は、カメラ２５による撮像範囲に携帯端末３００の表示面が含まれるように、携帯端末３００の位置及び向きを調整して、決済端末１００に対して携帯端末３００を配置することが多いと考えられる。つまり、決済端末１００のカメラ２５から離間して携帯端末３００をかざすので、コード読取時のカメラ２５と携帯端末３００との距離を確保できる。この場合、携帯端末３００が配置推奨範囲Ｄ２の内部に位置し易くなる。したがって、この場合、決済端末１００は、被写体として表示されたコード全体を容易に撮像でき、カメラ２５により撮像されたコードの認識精度を向上できる。
【００８１】
なお、コード決済時に配置推奨範囲Ｄ２に携帯端末３００が配置されるようにするためには、決済端末１００に対して携帯端末３００の配置を案内するための案内フレームや案内板を設けることも考えられる。案内板は、例えば透明なものであってよい。しかし、この場合、決済端末に案内フレームや透明な案内板を別途設けることを要するので、決済端末が大型化する。また、コード決済の決済精度は向上できるが、案内フレームや案内板がコード決済以外の決済方式に従った決済処理を阻害し得る。つまり、コード決済とコード決済以外の決済方式とを両立することが困難である。
【００８２】
これに対し、本実施形態の決済端末１００は、案内フレームや案内板を別途設けることが不要であり、決済端末１００の大型化を抑制できる。また、決済端末１００は、案内フレームや案内板がコード決済以外の決済方式による決済を阻害することがなく、コード決済とコード決済以外の決済方式による決済とを好適に両立できる。
【００８３】
また、決済端末の内部において、決済端末が備えるカメラとの距離を離間可能とすることも考えられる。言い換えると、決済端末の端末内部でコードを読み取るための読取距離を確保することが考えられる。この決済端末の端末内部では、ミラー等が用いられて、読取距離が確保されることもある。この決済端末は、透明な載置面を有し、この載置面に携帯端末３００を載置することで、決済端末に対する携帯端末３００の位置が配置推奨範囲Ｄ２の内部に自動的に位置するようにされる。つまり、載置面に携帯端末が直付けされても、カメラの撮像範囲内にコード全体が入るようにされる。しかし、この場合、カメラの撮像方向においてカメラから所定距離の範囲には部品等を配置できず、カメラのために要するスペースが大きくなる。また、カメラのための必要スペースが大きいので、コード決済以外の決済方式による決済のための部品（例えば各種カードリーダ、ＮＦＣアンテナ）を更に設けると、決済端末が大型化する。
【００８４】
これに対し、本実施形態の決済端末１００は、カメラ２５のための必要スペースは通常の決済端末におけるカメラスペースと同様であり、カメラ２５のための必要スペースが大きくなることを抑制できる。また、コード決済以外の決済方式による決済のための部品（例えば各種カードリーダ、ＮＦＣアンテナ１５）を更に設けても、決済端末１００が必要以上に大型化することを抑制できる。
【００８５】
このように、決済端末１００は、カメラ２５を本体１０の前面１Ａ側かつ底面（載置面α側の面）に近い位置に配置されることで、パネル配置面１０ａにカメラ２５のレンズｌｓを設けることが不要である。よって、決済端末１００は、カメラ２５を用いた撮像時（例えばコード決済時）に、タッチパネル１２の表示領域を利用者の手や指などで塞いでしまい、タッチパネル１２による表示の視認性が擬制になること、つまりタッチパネル１２の視認性が低下することを抑制できる。
【００８６】
また、第２カードスロット１７ｓの位置は、第２カードスロット１７ｓへの接触ＩＣカードＣ２の挿入の際に、利用者の手が決済端末１００の載置面αにぶつからないように、一定以上の高さとされる。この場合でも、カメラ２５のレンズｌｓや本体が、第２カードスロット１７ｓと載置面αとの間に配置されることで、利用者は、接触ＩＣカードＣ２を持つ手を、接触ＩＣカードＣ２と載置面αとの間に自然に挿入可能である。したがって、このようなカメラ２５の配置であっても、接触ＩＣカード決済をスムーズに実施でき、決済端末１００の小型化もできる。
【００８７】
また、カメラ２５による読み取り及び第２カードリーダ１７による読み取りについて、ＣＰＵ１１は、決済方式に応じて、一方を読み取り可能にし、他方は読み取り不可としてよい。例えば、カメラ２５の使用時（例えばコード決済時）には、ＣＰＵ１１は、カメラ２５（カメラモジュールｍｄ）による読み取りを可能にし、第２カードリーダ１７による読み取りを不可としてよい。例えば、接触ＩＣカードＣ２の使用時（例えば接触ＩＣカード決済時）には、ＣＰＵ１１は、第２カードリーダ１７による読み取りを可能にし、カメラ２５（カメラモジュールｍｄ）による読み取りを不可としてよい。この場合、第２カードスロット１７ｓとカメラ２５とが近距離に配置されることで、決済端末１００が小型化可能であるとともに、決済処理への影響は抑制され得る。
【００８８】
また、開口部３０内に、第２カードスロット１７ｓ及びカメラ２５のレンズｌｓが配置されることで、第２カードスロット１７ｓ及びカメラ２５のレンズｌｓを局所的に集中して配置でき、決済端末１００は、更に小型化されることが可能である。
【００８９】
以上のように、本実施形態の決済端末１００は、画像（例えばコードの画像）を撮像するカメラ２５のレンズｌｓと、接触ＩＣカードＣ２が挿入される第２カードスロット１７ｓ（カードスロットの一例）と、タッチパネル１２と、を備える。決済端末１００が載置される載置面αから高さ方向に、載置面αの近くから順に、レンズｌｓ、第２カードスロット１７ｓ、及びタッチパネル１２が配置された面であるパネル配置面１０ａが配置される。第２カードスロット１７ｓに対して利用者が正面（前面１Ａ側の一例）に対峙した場合に、パネル配置面１０ａの向きは、利用者に向かって斜め上方であり、レンズｌｓの光軸方向は、利用者に向かって斜め上方であり、且つ、レンズｌｓは、第２カードスロット１７ｓよりも利用者に近い位置に配置される。
【００９０】
これにより、パネル配置面１０ａの向きが利用者に向かって斜め上方であることで、タッチパネル１２の表示面が利用者の方向を向く。したがって、利用者は、タッチパネル１２による表示内容を確認し易い。また、載置面αの近くから順に、カメラ２５のレンズｌｓ及び第２カードスロット１７ｓが配置されることで、接触ＩＣカードＣ２の利用者の手や指が、載置面αと接触ＩＣカードＣ２との間に自然に挿入可能である。そのため、利用者は、スムーズに接触ＩＣカード決済のための操作を実施できる。さらに、カメラ２５のレンズｌｓがパネル配置面１０ａに配置されないので、パネル配置面１０ａのサイズを小さくでき、決済端末１００の小型化に繋がる。また、第２カードリーダ１７の下部（つまり載置面α側）には、電子部品が配置され難いので、第２カードリーダ１７の下部にレンズｌｓが配置されることで、カメラ２５の配置効率を向上できる。また、レンズｌｓの光軸方向が利用者に向かって斜め上方であることで、利用者は、コードが表示された携帯端末３００の表示面をカメラ２５側に向けることで、カメラ２５によりコードを撮像可能である。そのため、ＣＰＵ１１は、撮像されたコードを画像解析することで、コードを読取可能である。また、レンズｌｓが第２カードスロット１７ｓよりも利用者に近い位置に配置されることで、利用者は、コードが表示された携帯端末３００の表示面をカメラ２５に対して一層かざし易くなる。このように、決済端末１００は、様々な決済方式に対応でき、決済端末１００を小型化でき、カメラ２５（撮像部の一例）の配置効率を向上でき、カメラ２５による撮像時のタッチパネル１２（表示部の一例）の視認性を向上できる。
【００９１】
また、決済端末１００は、レンズｌｓを通じて撮像するカメラ２５のカメラモジュールｍｄと、第２カードスロット１７ｓに挿入された接触ＩＣカードＣ２から、接触ＩＣカードＣ２に保存された情報を取得する第２カードリーダ１７と、を更に備えてよい。載置面αから高さ方向に、載置面αの近くから順に、カメラモジュールｍｄ及び第２カードリーダ１７が配置されてよい。
【００９２】
仮にカメラモジュールｍｄがパネル配置面１０ａの付近に配置される場合、第２カードリーダ１７の上部（つまりパネル配置面１０ａ側）にカメラ２５が配置されることになる。第２カードリーダ１７の上部には、他の電子部品（例えばＮＦＣアンテナ１５、タッチパネル、及びこれらに関連する部品）が配置されるので、電子部品が密集して配置され易い。一方、第２カードリーダ１７の下部（つまり載置面α側）には、電子部品が配置され難い。これに対し、決済端末１００は、載置面αの近くから順に、カメラモジュールｍｄ及び第２カードリーダ１７が配置されることで、第２カードリーダ１７の下部（つまり載置面α側）に形成され易いデッドスペースを有効活用できる。したがって、決済端末１００は、カメラ２５の配置効率を向上できる。
【００９３】
また、決済端末１００は、近距離無線通信を行うためのＮＦＣアンテナ１５（アンテナの一例）、を更に備えてよい。カメラモジュールｍｄは、ＮＦＣアンテナ１５による電波の放射範囲Ｄ１の外側に配置されてよい。
【００９４】
これにより、決済端末１００は、ＮＦＣアンテナ１５の使用時のＮＦＣアンテナ１５とカメラ２５との間の電気的な干渉を抑制できる。よって、決済端末１００は、カメラ２５による撮像画像の画質が低下したり、ＮＦＣアンテナ１５を用いた通信性能が低下したりすることを抑制できる。
【００９５】
また、決済端末１００は、カメラモジュールｍｄ及び第２カードリーダ１７が電気的に接続されたＣＰＵ１１（制御部の一例）、を更に備えてよい。ＣＰＵ１１は、決済方式としてクレジットカード決済が選択された場合、第２カードリーダ１７による読み取りを可能にし、カメラモジュールｍｄによる読み取りを不能としてよい。
【００９６】
これにより、決済端末１００は、カメラ２５と第２カードリーダ１７とが近距離に配置されても、接触ＩＣカード決済時にカメラ２５と第２カードリーダ１７とが同時に動作することを抑制でき、両者の電気的な干渉を抑制できる。よって、決済端末１００は、クレジットカード決済としての接触ＩＣカード決済時に読取エラー等が発生することを抑制でき、接触ＩＣカード決済を高精度に実施できる。
【００９７】
また、ＣＰＵ１１は、決済方式としてコード決済が選択された場合、カメラモジュールｍｄによる読み取りを可能にし、第２カードリーダ１７による読み取りを不能としてよい。
【００９８】
これにより、決済端末１００は、カメラ２５と第２カードリーダ１７とが近距離に配置されても、コード決済時にカメラ２５と第２カードリーダ１７とが同時に動作することを抑制でき、両者の電気的な干渉を抑制できる。よって、決済端末１００は、コード決済時に、カメラ２５により撮像されたコードを含む画像に基づく読取エラー等が発生することを抑制でき、コード決済を高精度に実施できる。
【００９９】
また、決済端末１００は、利用者が対峙する正面側に開口部３０を有してよい。開口部３０に、第２カードスロット１７ｓ及びレンズｌｓが配置されてよい。
【０１００】
これにより、決済端末１００は、第２カードスロット１７ｓ及びカメラ２５のレンズｌｓを開口部３０がある狭スペースに集中して配置でき、決済端末１００内の電子部品の配置効率を向上でき、決済端末１００を更に小型化できる。
【０１０１】
また、開口部３０は、凹部Ｈ１を有してよい。凹部Ｈ１は、開口部３０に対向する決済端末１００の面のうち載置面αに近い側に位置する下面３０ｂ（第１面の一例）の一部と、下面３０ｂと連なり決済端末１００の正面側に位置する面１０ｂ（第２面の一例）と、が窪んで形成されている。凹部Ｈ１に、レンズｌｓが配置されてよい。
【０１０２】
これにより、開口部３０において正面側から離間し窪んだ位置にレンズｌｓが配置されるので、例えば利用者が他の決済方式（例えば接触ＩＣカード決済）により決済しようとする場合でも、カメラ２５のレンズｌｓに接触する可能性を低減できる。また、レンズｌｓは、埃等も到達し難い位置に配置される。よって、カメラ２５のレンズｌｓへの汚れの付着や破損を抑制でき、カメラ２５に撮像された画像に基づくコード読取の精度を高精度に維持できる。
【０１０３】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施形態における各構成要素を任意に組み合わせてもよい。
【０１０４】
上記実施形態では、カメラ２５が、携帯端末３００の表示面に表示された二次元コードを撮像することを主に例示したが、これに限られない。例えば、カメラ２５が、ポイントカードのバーコードや駐車券のバーコードを撮像してもよい。また、カメラ２５が、例えば免税店においてパスポート（旅券）を撮像してもよい。パスポートの撮像では、コード以外の情報（例えば写真）を撮像してよい。ＣＰＵ１１は、撮像された画像に対して画像解析し、コードの識別情報やパスポートに関する識別情報を取得し、この識別情報を後の各種処理に用いてよい。
【０１０５】
上記実施形態では、ＮＦＣ＿ＩＣ１４、第１カードリーダ１６、及び第２カードリーダ１７については、カードとの間でデータの読み取りを行うことを主に説明したが、データの書き込みを行ってもよい。つまり、ＮＦＣ＿ＩＣ１４、第１カードリーダ１６、及び第２カードリーダ１７は、少なくともデータの読み取りが可能であり、データの書き込みが可能であってもよい。この場合、読み取りの可否の制御と同様に、書き込みの可否の制御が行われてよい。また、カメラ２５により撮像され解析されたコードの識別情報を利用して、データの書き込みが行われてもよい。
【０１０６】
また、上記実施形態では、プロセッサは、物理的にどのように構成してもよい。また、プログラム可能なプロセッサを用いれば、プログラムの変更により処理内容を変更できるので、プロセッサの設計の自由度を高めることができる。プロセッサは、１つの半導体チップで構成してもよいし、物理的に複数の半導体チップで構成してもよい。複数の半導体チップで構成する場合、上記実施形態の各制御をそれぞれ別の半導体チップで実現してもよい。この場合、それらの複数の半導体チップで１つのプロセッサを構成すると考えることができる。また、プロセッサは、半導体チップと別の機能を有する部材（コンデンサ等）で構成してもよい。また、プロセッサが有する機能とそれ以外の機能とを実現するように、１つの半導体チップを構成してもよい。また、複数のプロセッサが１つのプロセッサで構成されてもよい。
【産業上の利用可能性】
【０１０７】
本開示は、様々な決済方式に対応でき、決済端末を小型化でき、撮像部の配置効率を向上でき、撮像時の表示部の視認性を向上できる決済端末等に有用である。
【符号の説明】
【０１０８】
１００  決済端末
１Ａ    前面
１Ｄ    後面
１０    本体
１０ａ  パネル配置面
１０ｂ  面
１１    ＣＰＵ
１２    タッチパネル
１３    ＬＥＤ
１４    ＮＦＣ＿ＩＣ
１５    ＮＦＣアンテナ
１６    第１カードリーダ
１６ｓ  第１カードスロット
１７    第２カードリーダ
１７ｓ  第２カードスロット
１８    メモリ
２４    スピーカ
２５    カメラ
２７    外部端子
３０    開口部
３０ｂ  下面
２００  店舗端末
Ｃ１    磁気カード
Ｃ２    接触ＩＣカード
Ｃ３    非接触ＩＣカード
Ｄ１    放射範囲
Ｄ２    配置推奨範囲
Ｈ１    凹部
ｍｄ    カメラモジュール
ｌｓ    レンズ
α      載置面
【要約】
【課題】様々な決済方式に対応でき、決済端末を小型化でき、撮像部の配置効率を向上でき、撮像時の表示部の視認性を向上できる決済端末を提供する。
【解決手段】決済端末は、画像を撮像するカメラのレンズと、接触ＩＣカードが挿入されるカードスロットと、タッチパネルと、を備え、決済端末が載置される載置面から高さ方向に、載置面の近くから順に、レンズ、カードスロット、及びタッチパネルが配置された面であるパネル配置面が配置され、カードスロットに対して利用者が正面に対峙した場合に、パネル配置面の向きは、利用者に向かって斜め上方であり、レンズの光軸方向は、利用者に向かって斜め上方であり、且つ、レンズは、カードスロットよりも利用者に近い位置に配置される。
【選択図】図１【図１】
0006827206.tif 000002
【図２】
0006827206.tif 000003
【図３】
0006827206.tif 000004
【図４】
0006827206.tif 000005
【図５】
0006827206.tif 000006
【図６】
0006827206.tif 000007
【図７】
0006827206.tif 000008
【図８】
0006827206.tif 000009
【図９】
0006827206.tif 000010
【図１０】
0006827206.tif 000011
【図１１】
0006827206.tif 000012
【図１２】
0006827206.tif 000013